(57)【要約】【課題】ハウジングに対するリテーナの保持力を向上させる。【解決手段】雌側コネクタＦは、雌側ハウジング１０と、雌側ハウジング１０に対し後方から挿入される雌端子金具２７と、雌側ハウジング１０に取り付けられ、雌側ハウジング１０に対する雌端子金具２７の挿入を許容する仮係止位置と、雌側ハウジング１０に挿入された雌端子金具２７を抜止めする本係止位置との間で、雌端子金具２７の挿入方向と交差する方向に移動可能なリテーナ３６と、雌側ハウジング１０に形成された変位規制部１８と、リテーナ３６に形成され、リテーナ３６が本係止位置にあるときに変位規制部１８に対して前方から当接可能な引掛部４３とを備える。【選択図】図５
2020107470.tif 000002
【特許請求の範囲】
【請求項１】
ハウジングと、
前記ハウジングに対し後方から挿入される端子金具と、
前記ハウジングに取り付けられ、前記ハウジングに対する前記端子金具の挿入を許容する仮係止位置と、前記ハウジングに挿入された前記端子金具を抜止めする本係止位置との間で、前記端子金具の挿入方向と交差する方向に移動可能なリテーナと、
前記ハウジングに形成された変位規制部と、
前記リテーナに形成され、前記リテーナが本係止位置にあるときに前記変位規制部に対して前方から当接可能な引掛部とを備えていることを特徴とするコネクタ。
【請求項２】
前記引掛部は、前記リテーナが前記仮係止位置と前記本係止位置のうち少なくとも一方の係止位置にあるときに、前記ハウジングの保持部と嵌合することで前記リテーナを移動規制することを特徴とする請求項１記載のコネクタ。
【請求項３】
前記ハウジングに形成され、前記端子金具を収容する端子収容室と、
前記ハウジングに形成され、前記端子収容室の内壁部の一部を凹ませた形態の切欠部と、
前記リテーナに形成され、前記リテーナが前記仮係止位置にあるときには前記切欠部に収容され、前記リテーナが前記本係止位置にあるときには前記端子金具に対して後方から当接可能に対向する抜止部とを備えていることを特徴とする請求項１又は請求項２記載のコネクタ。
【請求項４】
前記端子金具に形成され、前記切欠部内へ突出した形態であり、前記リテーナが前記本係止位置にあるときに前記抜止部に対して前方から当接可能に対向可能な二次係止部を備えていることを特徴とする請求項３記載のコネクタ。
【請求項５】
前記ハウジングの外面に沿うように配され、相手側コネクタとの嵌合過程で前記ハウジングの前記外面に接近するように弾性変位するロックアームを備えており、
前記切欠部が、前記ハウジングの前記外面において前記ロックアームと対向するように開口し、
前記リテーナが前記仮係止位置にあるときに前記抜止部がロックアームの弾性変位を規制する位置に配されるようになっていることを特徴とする請求項３又は請求項４記載のコネクタ。
【請求項６】
前記リテーナに設けられ、前記仮係止位置にある状態では前記ハウジングを相手側コネクタと嵌合させる過程で前記相手側コネクタと干渉し、前記本係止位置にある状態では前記相手側コネクタと非干渉となる検知部を備えていることを特徴とする請求項１ないし請求項５のいずれか１項に記載のコネクタ。
【発明の詳細な説明】
【技術分野】
【０００１】
本発明は、コネクタに関するものである。
【背景技術】
【０００２】
特許文献１には、ハウジングに対し後方からコンタクトを挿入するとともに、ハウジングの後端部に対し後方からリテイナを取り付け、リテイナによってコンタクトを抜止めするコネクタが開示されている。ハウジングの外面には突起状の係止部が形成され、リテイナには弾性変形可能な着脱係止部が形成されている。リテイナをハウジングに取り付ける過程では、着脱係止部が弾性変形しながら係止部を乗り越える。リテイナが正規の取付け状態になると、着脱係止部が係止部に係止することにより、リテイナが後方への移動を規制された保持される。
【先行技術文献】
【特許文献】
【０００３】
【特許文献１】特開平１１−６７３１８号公報
【発明の概要】
【発明が解決しようとする課題】
【０００４】
リテイナをハウジングに取り付ける過程では、着脱係止部が弾性変形した状態で係止部に摺接するため、着脱係止部と係止部との間に摩擦抵抗が生じる。この摩擦抵抗は、リテイナを取り付ける際に作業性を低下させる原因となる。この対策としては、係止部の突出寸法を小さくすることが考えられるが、係止部の突出寸法を小さくすると、着脱係止部と係止部との係止力が低下するため、リテイナを取付け状態に保持する機能が低下するという問題が生じる。
【０００５】
本発明は上記のような事情に基づいて完成されたものであって、ハウジングに対するリテーナの保持力を向上させることを目的とする。
【課題を解決するための手段】
【０００６】
本発明は、
ハウジングと、
前記ハウジングに対し後方から挿入される端子金具と、
前記ハウジングに取り付けられ、前記ハウジングに対する前記端子金具の挿入を許容する仮係止位置と、前記ハウジングに挿入された前記端子金具を抜止めする本係止位置との間で、前記端子金具の挿入方向と交差する方向に移動可能なリテーナと、
前記ハウジングに形成された変位規制部と、
前記リテーナに形成され、前記リテーナが本係止位置にあるときに前記変位規制部に対して前方から当接可能な引掛部とを備えていることを特徴とする。
【発明の効果】
【０００７】
リテーナが仮係止位置から本係止位置へ移動すると、引掛部が変位規制部に対して前方から当接可能となり、リテーナはハウジングに対し後方への相対変位を規制された状態に保持される。リテーナが仮係止位置から本係止位置へ移動する際に引掛部が変位規制部を乗り越えることがないので、引掛部と変位規制部との当接代を大きく確保することが可能である。これより、ハウジングに対するリテーナの保持力を向上させることができる。
【図面の簡単な説明】
【０００８】
【図１】実施例１の雌側コネクタにおいてリテーナが仮係止位置に保持されている状態をあらわす斜視図
【図２】リテーナが仮係止位置に保持されている状態をあらわす正断面図
【図３】雌側ハウジングにリテーナを組み付けた状態をあらわす平断面図
【図４】リテーナが仮係止位置に保持されている状態をあらわす側断面図
【図５】リテーナが本係止位置に保持されている状態をあらわす斜視図
【図６】リテーナが本係止位置に保持されている状態をあらわす正断面図
【図７】リテーナが本係止位置に保持されている状態をあらわす側断面図
【図８】雌側ハウジングの斜視図
【図９】リテーナの斜視図
【図１０】雄側ハウジングの正面図
【図１１】リテーナが仮係止位置に保持されている状態で雌側コネクタを雄側コネクタに嵌合し始めた状態をあらわす背面図
【図１２】図１１のＸ−Ｘ線断面図
【図１３】リテーナが本係止位置に保持されている状態で雌側コネクタを雄側コネクタに嵌合した状態をあらわす背面図
【図１４】図１３のＹ−Ｙ線断面図
【発明を実施するための形態】
【０００９】
本発明は、前記引掛部は、前記リテーナが前記仮係止位置と前記本係止位置のうち少なくとも一方の係止位置にあるときに、前記ハウジングの保持部と嵌合することで前記リテーナを移動規制するようになっていてもよい。この構成によれば、引掛部が、リテーナを仮係止位置や本係止位置に保持する機能を兼ね備えているので、リテーナの形状の簡素化を図ることができる。
【００１０】
本発明は、前記ハウジングに形成され、前記端子金具を収容する端子収容室と、前記ハウジングに形成され、前記端子収容室の内壁部の一部を凹ませた形態の切欠部と、前記リテーナに形成され、前記リテーナが前記仮係止位置にあるときには前記切欠部に収容され、前記リテーナが前記本係止位置にあるときには前記端子金具に対して後方から当接可能に対向する抜止部とを備えていてもよい。この構成によれば、リテーナの抜止部と端子金具との当接位置を、端子収容室内における後端よりも前方の領域に設定できるので、抜止部と端子金具との当接部位に異物が干渉することを防止できる。
【００１１】
本発明は、前記端子金具に形成され、前記切欠部内へ突出した形態であり、前記リテーナが前記本係止位置にあるときに前記抜止部に対して前方から当接可能に対向可能な二次係止部を備えていてもよい。この構成によれば、リテーナの仮係止位置と本係止位置との間の移動方向において、二次係止部の突出寸法を拡大し、二次係止部と抜止部との当接代を大きく確保することができる。
【００１２】
本発明は、前記ハウジングの外面に沿うように配され、相手側コネクタとの嵌合過程で前記ハウジングの前記外面に接近するように弾性変位するロックアームを備えており、前記切欠部が、前記ハウジングの前記外面において前記ロックアームと対向するように開口し、前記リテーナが前記仮係止位置にあるときに前記抜止部がロックアームの弾性変位を規制する位置に配されるようになっていてもよい。この構成によれば、リテーナが仮係止位置にある状態のままでコネクタを相手側コネクタと嵌合しようとすると、ロックアームの弾性変位が規制される。これにより、リテーナが本係止位置へ移動していないことを検知することができる。
【００１３】
本発明は、前記リテーナに設けられ、前記仮係止位置にある状態では前記ハウジングを相手側コネクタと嵌合させる過程で前記相手側コネクタと干渉し、前記本係止位置にある状態では前記相手側コネクタと非干渉となる検知部を備えていてもよい。この構成によれば、ハウジングを相手側コネクタと嵌合させる際に、リテーナが仮係止位置と本係止位置のいずれの係止位置にあるかを検知することができる。
【００１４】
＜実施例１＞
以下、本発明を具体化した実施例１を図１〜図１４を参照して説明する。尚、以下の説明において、前後の方向については、図１，３〜５，７〜９，１２，における左方を前方と定義する。上下の方向については、図１，２，４，５〜１４にあらわれる向きを、そのまま上方、下方と定義する。
【００１５】
本実施例１の雌側コネクタＦ（請求項に記載のコネクタ）は、合成樹脂製の雌側ハウジング１０（請求項に記載のハウジング）と、一対の雌端子金具２７（請求項に記載の端子金具）と、合成樹脂製のリテーナ３６とを備えて構成されている。
【００１６】
図４，７に示すように、雌側ハウジング１０は、全体としてブロック状をなす端子収容部１１と、ロックアーム２２とを一体に形成した単一部材である。端子収容部１１内には、左右対称な一対の端子収容室１２が左右に並んで形成されている。端子収容室１２の下面には、上下方向へ弾性変形可能なランス１３が形成されている。端子収容室１２の後端は、雌側ハウジング１０の後端面において端子挿入口１４として開口されている。
【００１７】
端子収容部１１には、左右対称な一対の切欠部１５が形成されている。一対の切欠部１５は、左右一対の端子収容室１２の内壁部を構成する上壁部のうち後端側領域を、個別な凹ませた形態である。一対の切欠部１５は、端子収容室１２の外面１６（上面）に開口されているとともに、端子収容室１２の後端面に開口されている。
【００１８】
図１，２，５，６，８に示すように、雌側ハウジング１０（端子収容部１１）の左右両外側面には、雌側ハウジング１０の後端面に開口する左右対称な一対の凹部１７が形成されている。左右両凹部１７には、夫々、リテーナ３６を仮係止位置と本係止位置に保持するための手段として、上下一対の変位規制部１８と、仮係止用保持部１９（請求項に記載の保持部）と、共用保持部２０（請求項に記載の保持部）と、仮係止用規制部２１とが形成されている。
【００１９】
上下一対の変位規制部１８は、凹部１７の側面における後端部から幅方向（雌側ハウジング１０に対するリテーナ３６の組付け方向と直交する方向）へリブ状に突出した形態である。上下一対の変位規制部１８は、前後方向（雌側ハウジング１０に対するリテーナ３６の組付け方向と平行な方向）に細長く延びており、互いに平行をなし、且つ上下方向（後述するリテーナ３６の仮係止位置と本係止位置との間での移動方向と平行に方向）に間隔を空けて配置されている。一対の変位規制部１８の前端は、前後方向において同じに揃うように位置している。
【００２０】
仮係止用保持部１９は、変位規制部１８と同様、凹部１７の側面から幅方向へリブ状に突出した形態である。仮係止用保持部１９の突出寸法は、変位規制部１８の突出寸法よりも小さい寸法である。仮係止用保持部１９は、前後方向に細長く延びた形態であり、一対の変位規制部１８よりも上方に配置されている。前後方向における仮係止用保持部１９の形成領域は、変位規制部１８の前端よりも前方の位置から、変位規制部１８の前端よりも後方の位置に至る範囲である。
【００２１】
共用保持部２０は、変位規制部１８及び仮係止用保持部１９と同様、凹部１７の側面から幅方向へリブ状に突出した形態である。共用保持部２０の突出寸法は仮係止用保持部１９の突出寸法とほぼ同じ寸法である。共用保持部２０は、前後方向に細長く延びた形態であり、一対の変位規制部１８よりも上方の位置であり、且つ仮係止用保持部１９よりも下方の位置に配置されている。前後方向における共用保持部２０の形成領域は、変位規制部１８の前端よりも前方の位置から、変位規制部１８の前端とほぼ同じ位置に至る範囲である。
【００２２】
仮係止用規制部２１は、変位規制部１８、仮係止用保持部１９及び共用保持部２０と同様、凹部１７の側面から幅方向へリブ状に突出した形態である。仮係止用規制部２１の突出寸法は、仮係止用保持部１９及び共用保持部２０の突出寸法よりも小さい寸法に設定されている。仮係止用規制部２１は、上下方向に細長く延びた形態である。仮係止用規制部２１の上端は共用保持部２０の後端部に連なり、仮係止用規制部２１の下端は上側の変位規制部１８の前端部に連なっている。
【００２３】
図４，７に示すように、ロックアーム２２は、アーム本体部２３と支持部２４とを備えている。アーム本体部２３は、端子収容部１１の外面１６（上面）に沿って前後方向に細長く延びた形態である。支持部２４は、アーム本体部２３の前端部から下方へ延出し、端子収容部１１の外面１６（上面）に連なっている。ロックアーム２２は、支持部２４を支点として上下方向へ弾性変形し得るようになっている。
【００２４】
ロックアーム２２が弾性変形しない自由状態であるときに、アーム本体部２３は、端子収容部１１の上面に対して上下方向に間隔を空けて対向している。アーム本体部２３の後端部はロック解除用の操作部２５として機能する。アーム本体部２３の上面にはロック突起２６が形成されている。アーム本体部２３の前後方向における後端側領域は、端子収容部１１の上面における一対の切欠部１５の開口部と対向するように配置されている。
【００２５】
図４，７に示すように、雌端子金具２７は、前端部に角筒部２８を有し、後端部にはオープンバレル状の圧着部２９を有している。角筒部２８内には弾性接触片３０が収容されている。角筒部２８の下面には突起状の一次係止部３１が形成されている。角筒部２８を構成する下板部は圧着部２９の基板部と連なっている。圧着部２９には、被覆電線３２の前端部が導通可能に圧着されている。
【００２６】
角筒部２８を構成する上板部３３は、圧着部２９よりも上方に位置している。上板部３３と圧着部２９との高低差により、角筒部２８の上板部３３の後端部は、段差状をなす二次係止部３４として機能する。二次係止部３４は、上板部３３の後端から上方へ略直角に且つ片持ち状に延出した形態の当て部３５を有している。
【００２７】
雌端子金具２７は、雌側ハウジング１０の後方から端子収容室１２内に挿入される。正規挿入された雌端子金具２７は、一次係止部３１をランス１３に係止させることにより、抜止め状態に保持される。雌端子金具２７に固着された被覆電線３２は、雌側ハウジング１０の後方へ導出されている。雌端子金具２７が正規位置に挿入された状態では、角筒部２８が、端子収容部１１のうち切欠部１５よりも前方の領域（端子収容室１２の奥方の領域）に収容される。上板部３３は、端子収容室１２の上壁部に対し接近してい対向するように位置し、二次係止部３４の当て部３５が、切欠部１５内に収容され、切欠部１５の前面に沿うように配される。圧着部２９は、端子収容室１２のうち前後方向において切欠部１５が形成されている後端側領域に収容される。
【００２８】
図９に示すように、リテーナ３６は、後壁部３７と、左右対称な一対の検知用突部４１（請求項に記載の検知部）と、左右対称な一対の抜止部４２と、左右対称な一対の引掛部４３とを有する単一部材である。後壁部３７は、壁厚方向を前後方向に向けた略平板状をなす。後壁部３７の背面視形状は略方形であり、雌側ハウジング１０の後面の全体を覆う大きさを有している。後壁部３７のうち、背面視において操作部２５の左右両端部と対応する領域は、覆い部３８として機能する。
【００２９】
後壁部３７のうち、背面視において操作部２５の左右方向中央部と対応する領域には、前後方向（後壁部３７の厚さ方向）に貫通した形態の操作孔３９が形成されている。後壁部３７には、背面視において端子収容室１２と対応する領域を切り欠いた形態の逃がし部４０が形成されている。逃がし部４０は、後壁部３７の下端縁に開口され、被覆電線３２とリテーナ３６との干渉を回避する手段である。一対の検知用突部４１は、後壁部３７の前面における左右両端部に配置されている。検知用突部４１は、後壁部３７の前面から片持ち状に突出した形態である。
【００３０】
左右一対の抜止部４２は、後壁部３７の前面（雌側ハウジング１０の後面と対向する面）から前方へ片持ち状に突出した形態である。抜止部４２の突出方向は、雌側ハウジング１０に対する雌端子金具２７の挿入方向及び雌側ハウジング１０に対するリテーナ３６の組付け方向と平行であり、且つリテーナ３６の仮係止位置と本係止位置との間の移動方向と直交する方向である。一対の抜止部４２は、左右方向において、後壁部３７の左右両端よりも中央寄りの位置に配されている。
【００３１】
一対の引掛部４３は、後壁部３７の前面のうち一対の抜止部４２を左右両側から挟む位置に配置されている。各引掛部４３は、全体としては、後壁部３７の前面から片持ち状に突出した形態である。詳細には、引掛部４３は、後壁部３７から前方へ突出した基部４４と、基部４４の突出端部（前端部）の下面から下方へ突出した突起部４５とを有している。突起部４５の突出方向は、リテーナ３６が仮係止位置から本係止位置へ変位するときの移動方向と同じ向きである。引掛部４３の側面視形状は、略Ｌ字形である。引掛部４３は、その後端部（後壁部３７に連なる部位）を支点として左右方向へ弾性変位し得るようになっている。
【００３２】
基部４４の左右両側面のうち相手側の突起部４５と対向する内側面には、共用嵌合溝４６が形成されている。共用嵌合溝４６は、前後方向（雌側ハウジング１０に対するリテーナ３６の組付け方向と平行な方向）に延びた形態であり、基部４４（引掛部４３）の前端面に開口されている。突起部４５の左右両側面のうち相手側の突起部４５と対向する内側面には、仮係止用嵌合溝４７が形成されている。仮係止用嵌合溝４７は、共用嵌合溝４６と平行な方向、即ち前後方向に延びた形態であり、共用嵌合溝４６よりも下方に配置されている。仮係止用嵌合溝４７は、突起部４５の前端面と後端面とに開口している。
【００３３】
リテーナ３６は、雌側ハウジング１０の後方から端子収容部１１の後端部に組み付けられる。リテーナ３６を組み付ける際には、一対の引掛部４３を端子収容部１１の左右両外側面に沿わせ、共用嵌合溝４６を仮係止用保持部１９に嵌合して摺接させる。共用嵌合溝４６と仮係止用保持部１９の嵌合により、リテーナ３６は、雌側ハウジング１０に対し、上下方向に位置決めされるともに、上下方向の姿勢の傾きを規制された状態でガイドされる。
【００３４】
リテーナ３６の組付け過程では、突起部４５の内側面が仮係止用規制部２１を乗り越えるのに伴い、一対の引掛部４３が互いに左右方向へ離間するように弾性変形する。リテーナ３６の組付け工程は、リテーナ３６が仮係止位置（図１，２，４，１１を参照）に到達した時点で完了する。リテーナ３６が仮係止位置に到達すると、後壁部３７が端子収容部１１の後端面に当接するとともに、突起部４５が仮係止用規制部２１を通過し、一対の引掛部４３が左右方向内側へ弾性復帰する。
【００３５】
引掛部４３が弾性復帰すると、図３に示すように、突起部４５の後面が、仮係止用規制部２１に対し前方から当接可能に対向するので、リテーナ３６は雌側ハウジング１０に対して後方へ離脱することを規制される。また、引掛部４３の弾性復帰により、仮係止用嵌合溝４７が共用保持部２０に嵌合する。共用嵌合溝４６は仮係止用保持部１９に嵌合した状態を保つ。図２に示すように、仮係止用嵌合溝４７と共用保持部２０との嵌合、及び共用嵌合溝４６と仮係止用保持部１９との嵌合により、リテーナ３６は、上下方向への移動を規制されたセミロック状態となり、仮係止位置に保持される。
【００３６】
リテーナ３６が仮係止位置にある状態では、図２，４に示すように、一対の抜止部４２のうち下側部位が、一対の切欠部１５に個別に収容され、一対の抜止部４２のうち上側部位が端子収容部１１の上面（外面１６）とロックアーム２２の下面との間の空間に収容される。抜止部４２の上面は、アーム本体部２３の下面に対し接近した状態で対向するように位置する。抜止部４２は、端子収容室１２に対する雌端子金具２７の挿抜経路よりも上方へ退避しているので、端子収容室１２に対する雌端子金具２７の挿抜が可能である。したがって、雌側ハウジング１０に対する雌端子金具２７の取付け作業は、リテーナ３６を仮係止位置に保持した状態で行うことができる。
【００３７】
仮係止位置のリテーナ３６に対し下向きの操作力を付与すると、リテーナ３６が、下方へ平行移動する。この間、後壁部３７の前面が端子収容室１２の後端面に摺接することにより、リテーナ３６がガイドされる。リテーナ３６の移動が開始すると、一対の引掛部４３が互いに拡開するように弾性変形し、共用嵌合溝４６が仮係止用保持部１９から外れるとともに、仮係止用嵌合溝４７が共用保持部２０から外れる。そして、引掛部４３の前端部が、仮係止用保持部１９と共用保持部２０に乗り上がり、両保持部１９，２０の突出端部に摺接する。
【００３８】
変位規制部１８の突出寸法は、両保持部１９，２０の突出寸法よりも大きいので、引掛部４３の前端部が両保持部１９，２０の突出端部に摺接してる間、突起部４５の後面は、上下両変位規制部１８の前端面に対し、前方から摺接可能に対向する位置関係を保つ。これにより、リテーナ３６が雌側ハウジング１０に対して後方へ相対移動することを規制される。
【００３９】
リテーナ３６が本係止位置（図５〜７，１３を参照）に到達すると、一対の引掛部４３が互いに接近するように弾性復帰し、図６に示すように、共用嵌合溝４６が共用保持部２０に嵌合する。この嵌合により、リテーナ３６は、雌側ハウジング１０に対する上下方向への相対移動を規制された状態で、本係止位置に保持される。
【００４０】
また、図３に示すように、突起部４５の後面が、上下両変位規制部１８の前面に対し前方から当接可能な状態で対向する。これにより、リテーナ３６が雌側ハウジング１０に対して後方へ相対変位（離脱）することを規制される。また、リテーナ３６を本係止位置に保持した状態では、覆い部３８がロックアーム２２の操作部２５を後方から覆う状態となる。したがって、後方から異物が操作部２５に接近しても、その異物が操作部２５に接触する虞はない。
【００４１】
リテーナ３６が仮係止位置から本係止位置へ移動する過程において、突起部４５は、常に変位規制部１８よりも前方に位置するので、変位規制部１８を乗り越えることがなく、突起部４５と変位規制部１８との間に引掛部４３の弾性変形に起因する摩擦抵抗が生じることはない。したがって、変位規制部１８の突出寸法を大きく設定しても、リテーナ３６を仮係止位置と本係止位置との間で移動させる際の摩擦抵抗が増大することはない。
【００４２】
また、リテーナ３６が仮係止位置から本係止位置へ移動する過程では、切欠部１５内へ退避していた抜止部４２が、二次係止部３４の当て部３５と同じ高さまで下降する。そして、抜止部４２の後端部が当て部３５に対し後方から当接可能な状態で対向する。したがって、リテーナ３６が本係止位置にある状態では、被覆電線３２が後方へ引っ張られても、当て部３５（二次係止部３４）が抜止部４２に当接するので、雌端子金具２７が後方へ相対変位することを規制される。雌端子金具２７は、ランス１３に対する一次係止部３１の係止作用と、リテーナ３６に対する二次係止部３４の係止作用とにより、確実に抜止め状態に保持される。
【００４３】
雌端子金具２７を雌側ハウジング１０から取り外す際には、本係止位置のリテーナ３６を仮係止位置へ移動させ、リテーナ３６（抜止部４２）による二次係止状態を解除する。次に、治具（図示省略）を用いてランス１３を弾性撓みさせ、一次係止部３１から解離させる。そして、ランス１３を一次係止部３１から解離した状態を保ったまま、被覆電線３２を後方へ引っ張ればよい。
【００４４】
雌側コネクタＦは雄側コネクタＭと嵌合可能である。雄側コネクタＭは、回路基板（図示省略）に取り付けられる基板用コネクタとしての機能を有する。雄側コネクタＭは、雄側ハウジング５０と、雄側ハウジング５０に取り付けた一対の雄端子金具５４とを備えて構成されている。雄側ハウジング５０は、壁状の端子貫通部５１と、端子貫通部５１の外周縁から正面側（雌側コネクタＦ側）へ角筒状に突出したフード部５２とを有する。
【００４５】
フード部５２を構成する上面部にはロック孔（図示省略）が形成されている。フード部５２を構成する左右両側面部の正面（両コネクタＦ，Ｍの嵌合時に雌側コネクタＦと対向する面）には、凹んだ形態の検知用受け部５３が形成されている（図１２，１４を参照）。雄端子金具５４は端子貫通部５１に貫通され、雄端子金具５４の先端のタブはフード部５２内に収容され、雄端子金具５４の基板接続部は回路基板に半田付けにより固着されている。
【００４６】
雌側コネクタＦを雄側コネクタＭに嵌合する過程では、ロック突起２６がフード部５２の上面部と干渉することにより、ロックアーム２２が端子収容部１１の上面（外面１６）に接近する方向（下方）へ弾性撓みする。このとき、リテーナ３６が本係止位置に保持されていれば、図７に示すように、端子収容部１１の上面（外面１６）とアーム本体部２３の下面との間には十分な撓み空間４８が確保されるので、ロックアーム２２の弾性撓み動作に支障を来すことはない。また、リテーナ３６が本係止位置にある状態では、図１４に示すように、リテーナ３６の検知用突部４１が、雄側ハウジング５０と干渉することなく検知用受け部５３内に嵌入するので、両コネクタＦ，Ｍの嵌合動作に支障を来すことはない。
【００４７】
そして、両コネクタＦ，Ｍが正規の嵌合状態に至ると、ロックアーム２２が弾性復帰してロック突起２６とロック孔とが係止状態となり、両コネクタＦ，Ｍが嵌合状態にロックされる。また、検知用突部４１が検知用受け部５３に嵌入しているので、両コネクタＦ，Ｍに対するリテーナ３６の上方（仮係止位置側へ向かう方向）への移動が規制される。したがって、リテーナ３６による二次係止機能の信頼性に優れている。
【００４８】
また、リテーナ３６が仮係止位置にある状態のままで、両コネクタＦ，Ｍの嵌合を始めた場合には、リテーナ３６の抜止部４２が、端子収容部１１の上面（外面１６）より上方の撓み空間４８内に進出し、アーム本体部２３に対して接近して対向する状態となる。したがって、両コネクタＦ，Ｍの嵌合の途中で、ロックアーム２２が弾性撓み部を配した直後に、アーム本体部２３の下面が抜止部４２と干渉し、それ以上のロックアーム２２の弾性撓み動作が規制される。これにより、両コネクタＦ，Ｍの嵌合動作も規制される。
【００４９】
また、リテーナ３６が仮係止位置にある状態で両コネクタＦ，Ｍの嵌合を無理に進めた場合、ロックアーム２２が抜止部４２を押すことによってリテーナ３６が本係止位置側へ移動する。しかし、ロックアーム２２の弾性撓み量が最大に達したときに、リテーナ３６は、本係止位置には到達しない。したがって、両コネクタＦ，Ｍの嵌合途中で、検知用突部４１が検知用受け部５３に嵌入せずに、雄側ハウジング５０（フード部５２）の正面と干渉する。この干渉により、それ以上の両コネクタＦ，Ｍの嵌合動作が規制される。これにより、リテーナ３６が本係止位置に保持されていないことが検知される。
【００５０】
上述のように、本実施例１の雌側コネクタＦは、雌側ハウジング１０と、雌側ハウジング１０に対し後方から挿入される雌端子金具２７と、雌側ハウジング１０に取り付けられるリテーナ３６とを備えている。リテーナ３６は、雌側ハウジング１０に対する雌端子金具２７の挿入を許容する仮係止位置と、雌側ハウジング１０に挿入された雌端子金具２７を抜止めする本係止位置との間で、雌端子金具２７の挿入方向と交差する上下方向に移動可能である。
【００５１】
雌側ハウジング１０には変位規制部１８が形成され、リテーナ３６には、リテーナ３６が本係止位置にあるときに変位規制部１８に対して前方から当接可能な引掛部４３が形成されている。リテーナ３６が仮係止位置から本係止位置へ移動すると、引掛部４３が変位規制部１８に対して前方から当接可能となり、リテーナ３６は雌側ハウジング１０に対し後方への相対変位を規制された状態に保持される。リテーナ３６が仮係止位置から本係止位置へ移動する際に引掛部４３が変位規制部１８を乗り越えることがないので、引掛部４３と変位規制部１８との当接代を大きく確保することが可能である。これより、雌側ハウジング１０に対するリテーナ３６の保持力を向上させることができる。
【００５２】
また、引掛部４３は、リテーナ３６が仮係止位置にあるときに、雌側ハウジング１０の仮係止用保持部１９と共用保持部２０と嵌合することでリテーナ３６を移動規制する。また、引掛部４３は、リテーナ３６が本係止位置にあるときに、雌側ハウジング１０の共用保持部２０と嵌合することでリテーナ３６を移動規制する。この構成によれば、引掛部４３が、リテーナ３６を仮係止位置及び本係止位置に保持する機能を兼ね備えているので、引掛部４３とは別の部位に仮係止用保持部１９や共用保持部２０との嵌合部位を形成する場合に比べると、リテーナ３６の形状の簡素化を図ることができる。
【００５３】
また、雌側ハウジング１０には、雌端子金具２７を収容する端子収容室１２と、端子収容室１２の内壁部の一部を凹ませた形態の切欠部１５とが形成されている。リテーナ３６には、リテーナ３６が仮係止位置にあるときには切欠部１５に収容され、リテーナ３６が本係止位置にあるときには雌端子金具２７に対して後方から当接可能に対向する抜止部４２が形成されている。この構成によれば、リテーナ３６の抜止部４２と雌端子金具２７との当接位置を、端子収容室１２内における後端よりも前方の領域（端子収容室１２の奥側）に設定できるので、抜止部４２と雌端子金具２７との当接部位に異物が干渉することを防止できる。
【００５４】
また、雌端子金具２７には、切欠部１５内へ突出した形態であり、リテーナ３６が本係止位置にあるときに抜止部４２に対して前方から当接可能に対向可能な二次係止部３４（当て部３５）が形成されている。この構成によれば、リテーナ３６の仮係止位置と本係止位置との間の移動方向において、二次係止部３４の突出寸法を拡大し、二次係止部３４と抜止部４２との当接代を大きく確保することができる。
【００５５】
また、雌側ハウジング１０は、雌側ハウジング１０の外面１６（端子収容部１１の上面）に沿うように配されたロックアーム２２を有している。ロックアーム２２は、雄側コネクタＭとの嵌合過程で雌側ハウジング１０の外面１６に接近するように弾性変位する。切欠部１５は、雌側ハウジング１０の外面１６においてロックアーム２２と対向するように開口している。
【００５６】
リテーナ３６が仮係止位置にあるときに、抜止部４２は、ロックアーム２２の弾性変位を規制する位置（撓み空間４８内）に配される。この構成によれば、リテーナ３６が仮係止位置にある状態のままで雌側コネクタＦを雄側コネクタＭと嵌合しようとすると、ロックアーム２２の弾性変位が規制される。これにより、リテーナ３６が本係止位置へ移動していないことを検知することができる。
【００５７】
また、リテーナ３６には、仮係止位置にある状態では雌側ハウジング１０を雄側コネクタＭと嵌合させる過程で雄側コネクタＭと干渉する検知用突部４１が設けられている。リテーナ３６が本係止位置にある状態では、検知用突部４１は雄側コネクタＭと非干渉となる。この構成によれば、雌側ハウジング１０を雄側コネクタＭと嵌合させる際に、リテーナ３６が仮係止位置と本係止位置のいずれの係止位置にあるかを検知することができる。
【００５８】
＜他の実施例＞
本発明は上記記述及び図面によって説明した実施例に限定されるものではなく、例えば次のような実施例も本発明の技術的範囲に含まれる。
（１）上記実施例１では、引掛部が、リテーナを仮係止位置に保持する機能とリテーナを本係止位置に保持する機能とを兼ね備えているが、引掛部は、リテーナを仮係止位置に保持する機能のみを備えていてもよく、リテーナを本係止位置に保持する機能のみを備えていてもよく、リテーナを仮係止位置と本係止位置のいずれの係止位置に保持する機能も備えていな形態であってもよい。
（２）上記実施例１では、リテーナが端子収容室の内部で端子金具を抜止めするが、リテーナは、端子収容室の後端の開口部で端子金具を抜止めするものであってもよい。
（３）上記実施例１では、端子金具の二次係止部が切欠部内へ突出しているが、二次係止部は切欠部内に突出しない形態であってもよい。
（４）上記実施例１では、切欠部がハウジングの外面に開口しているが、切欠部はハウジングの外面に開口しない形態であってもよい。
（５）上記実施例１では、リテーナが、仮係止位置と本係止位置のいずれの係止位置にあるかを検知するための検知部を備えているが、リテーナは検知部を有しない形態であってもよい。
【符号の説明】
【００５９】
Ｆ…雌側コネクタ（コネクタ）
Ｍ…雄側コネクタ（相手側コネクタ）
１０…雌側ハウジング（ハウジング）
１２…端子収容室
１５…切欠部
１８…変位規制部
１９…仮係止用保持部（保持部）
２０…共用保持部（保持部）
２２…ロックアーム
２７…雌端子金具（端子金具）
３４…二次係止部
３６…リテーナ
４１…検知用突部（検知部）
４２…抜止部
４３…引掛部
【図１】
2020107470.tif 000003
【図２】
2020107470.tif 000004
【図３】
2020107470.tif 000005
【図４】
2020107470.tif 000006
【図５】
2020107470.tif 000007
【図６】
2020107470.tif 000008
【図７】
2020107470.tif 000009
【図８】
2020107470.tif 000010
【図９】
2020107470.tif 000011
【図１０】
2020107470.tif 000012
【図１１】
2020107470.tif 000013
【図１２】
2020107470.tif 000014
【図１３】
2020107470.tif 000015
【図１４】
2020107470.tif 000016